(57)【要約】【課題】金融機関の一線窓口業務での現金処理機の現金精査においては、不確定貨幣を精査するために、一旦現金処理機の貨幣を回収して、計数貨幣と不確定貨幣を合わせて、本来の有高と一致チェックをすることとなり、回収した貨幣は一旦出納に戻すことが一般的で戻し業務も必要となるさらに翌日に装填処理が必要で運用上係員に負担が掛かっている。【解決手段】金融機関の一線窓口業務での現金処理装置の精査処理において、現金処理装置内の計数可能貨幣は現金処理装置から上位システムに通知し、リジェクト等の計数不能の不確定は係員より上位システムに通知させその結果を基に、上位システムで精査結果を判断し、精査ＯＫの場合は、計数可能貨幣を新有高として更新し運用を継続させることで、精査業務においては、小額金額のみの取り扱いとなり精査業務、マネーストレスの低減、および厳格精査を行う。【選択図】　図２
2004062705.tif 000002
【特許請求の範囲】
【請求項１】
入金計数された紙幣または硬貨を一旦保留する一時保留部と、保留した金種別紙幣を収納する収納庫を有し、各金種別収納庫に紙幣または硬貨をを装填かつ各金種別収納庫から紙幣を回収する脱着可能なカセットを有する現金処理機における現金処理機内の貨幣を精査する方式において、装置内貨幣の再計数後、リジェクト紙幣、再計数できないカセット内貨幣が存在発生した時その不確定金額を演算し、係員が抜取り確認を契機に、現金処理機内の有高から減算し、現金処理機内有高が計数結果と一致となることを特徴とする現金処理装置の処理方式。
【発明の詳細な説明】
【０００１】
【発明の属する技術分野】
本発明は、金融機関等において使用される現金処理装置に関する。
【０００２】
【従来の技術】
従来技術においては、現金処理機の有高確定として入金では入金計数で計数結果を確定した貨幣を一時保留部に一旦貯め、上位システムの指示により、一時保留部の貨幣を各金種別収納庫に収納し、同時に上位システムおよび現金処理機の現金有高を加算する。また、出金では出金計数で出金口に一旦貯め、上位システムの指示により出金口より放出し同時に上位システムおよび現金処理機各金種別収納庫処理機の有高となり上位加算して装置の現金有高を減算する。
【０００３】
現金処理機の有高は計数結果に基づき、加算減算されて、厳正化がたもたれているため、現金処理機の貨幣を自動計数した際のリジェクト貨幣等、計数不能貨幣が存在した場合有高の一致チェック精査する手段として、装置内貨幣の全回収を行い、計数結果と計数不能貨幣を係員により合算作業を行い、装置在高と一致チェックをする。精査後は装置の在高をクリアして、ゼロからの装填で、再度在高一致状態から運用すし、装置在高と現物との厳正化を保っている。
【０００４】
【発明が解決しようとする課題】
金融機関の一線窓口業務での現金処理機の現在の技術では、貨幣の収納庫に対してどれだけ収納されているのかチェックする、自動算当機能は可能ではあるが、計数不可となったリジェクトボックス内の貨幣および自動算当機能中のリジェクトもあり、不確定貨幣が存在してしまう。
【０００５】
精査においては、不確定貨幣を明確にすることで精査となり、その手段として、一旦現金処理機の貨幣を回収して、計数貨幣と不確定貨幣を合わせて、本来の有高と一致チェックをして、現金処理機の有高をクリアして、再度、装填処理を行うことで、現物と現金処理機の有高を常に一致させていく精査方法が一般的で運用上係員に負担が掛かっている。
【０００６】
【課題を解決するための手段】
現金処理機においては、現金の出入りによる有高管理をおこない、上位システムは現金処理装置から、有高管理情報を吸上げて、上位システムのデータベースによる、有高管理情報とチェックすることで、データ上での精査可能とする。
【０００７】
現金処理機は常時空状態となる収納庫を設け、各金種別収納庫内の貨幣を再計数することで現金処理機内の集積貨幣を全て計数させる。
【０００８】
リジェクト貨幣、計数不能カセット貨幣は取り外し可能なカセットに一括集積させることで、収納庫内の貨幣を自動計数（自動算当機能）させる。
【０００９】
自動計数後、計数結果が上位システムに報告し、計数不能カセット貨幣は取り外し可能なカセットを抜取り検知することで、計数処理を終了させ、上位の完了通知を待つ。
【００１０】
計数不能カセット貨幣は係員により金額の確認を行い、上位システムに入力する。
【００１１】
上位システムは計数結果と入力結果を加算し現金処理機の本来の有高とチェックし精査結果の合否判定を行う。
【００１２】
在高が一致した場合、上位システムは現金処理機にＯＫ通知を発行し、現金処理機はＯＫ通知受信で、計数不能カセット貨幣分の在高を減算し、計数結果を現金処理機の新有高として継続させる。
【００１３】
ＮＧの場合は、アラームを出力して、問題の解決を促す。
【００１４】
【発明の実施の形態】
本発明の実施例を図１、図２により説明する。
【００１５】
図１に本発明の１実施例である紙幣処理装置１と上位システム２の構成を示す。
【００１６】
紙幣処理装置１は、上位システム２の指示で入出金処理を起動する。紙幣処理装置１は自身の有高を管理しており、上位システム２も紙幣処理装置１の同一の有高を管理している。
【００１７】
精査は、紙幣処理装置１の有高、上位システム２の有高および、現物との一致を図ることで厳正に精査を行う。
【００１８】
紙幣処理装置１は入金口部６、出金口部７、装填回収カセット４、万円スタッカ部３、五千円スタッカ部１０、千円スタッカ部９、リジェクトボックス１１、紙幣搬送路１３鑑別部１４より構成される。
【００１９】
カセット１２、リジェクトボックス１１は紙幣処理装置１より脱着可能となっている。
【００２０】
千円スタッカ部８、万円スタッカ部６、五千円スタッカ部７は、各一時保留部８を有している。
【００２１】
この紙幣処理装置で入金と、出金処理動作を説明する。
【００２２】
上位システム２よりの入金指示で入金口部６にセットされた紙幣は、一枚づつ繰り出され紙幣搬送路１３により、鑑別部１４に搬送され鑑別されたのち、各一時保留部８に搬送される。リジェクト紙幣は、出金口部７搬送され再度入金計数を行う。
【００２３】
計数後、上位機の収納指示で、各一時保留部８の紙幣は、それぞれ千円スタッカ部９、万円スタッカ部３、五千円スタッカ部１０に収納され紙幣処理装置１上位システム２同時に集計更新され有高の一致を図る。
【００２４】
また、上位機よりの出金指示では、各スタッカ部３、９、１０より繰り出し、紙幣搬送路１３により搬送し鑑別部１４で鑑別し、指定枚数を出金口７へ搬送する。リジェクト紙幣は、リジェクトボックス１１に搬送し、上位システム２の指示により出金口部７より放出し、紙幣処理装置１、上位システム２同時に集計更新され紙幣処理機のあるべき有高の一致を図る。
【００２５】
この紙幣処理装置１で自動精査を実施したときの本発明について説明する。
【００２６】
まず始めに、現金処理機１と上位システム２でそれぞれ管理している現金有高が一致しているのがデータを吸上げ、データ上での簡易精査５ｒを実施する。
【００２７】
一致していれば、自動精査５Ｓ、不一致であれば現金精査５ｑを行う。
【００２８】
上位システム２より精査スタートの指示５ｂを現金処理機に発行すると、紙幣処理装置１は万円スタッカ部３、五千円スタッカ部１０、千円スタッカ部９の紙幣を紙幣処理機内計数精査５ｃを実行する。
【００２９】
再計数は万円スタッカ部３の紙幣を紙幣搬送路１３により、鑑別部１４に搬送され鑑別されたのち装填回収カセット４に収納し、計数後万円スタッカ部３に戻す、リジェクト紙幣はリジェクトボックス１１に搬送する。
【００３０】
同様に五千円スタッカ部１０、千円スタッカ部９を実施することで、現金処理機内計数精査５ｃを行うことができる。
【００３１】
その後、リジェクトボックス１１の抜取り５ｅ誘導を行い、抜取り後は、上位システムからの回答待ち５ｍとなる。
【００３２】
現金処理機内計数精査５ｃ後は、計数できた紙幣は、万円スタッカ部３、五千円スタッカ部１０、千円スタッカ部９に収納され、計数不可の不確定紙幣はリジェクトボックス１１に収納されていることとなる。
【００３３】
紙幣処理機１は現金処理機内計数精査５ｃ後、上位システムへ計数結果Ａ報告５ｄを行う。
【００３４】
オペレータは、紙幣処理機１のリジェクトボックス１１より不確定紙幣を取除き、リジェクトボックス内金額確認５ｆを行い、金額を上位システム２にリジェクト紙幣Ｂ入力５ｇし、リジェクトボックス内金額は出納へ返却する。
【００３５】
上位システム２は計数結果Ａ報告５ｄとリジェクト金額Ｂ入力５ｇを加算し上位システム上の現金処理機内有高Ｃとチェック５ｎする。
【００３６】
一致であればＯＫ指示。不一致であればＮＧを紙幣処理機１に報告５ｈする。
【００３７】
ＯＫ回答を受けた現金処理機１は現金処理機１のあるべき有高よりリジェクト金額Ｂを減算し現金処理機１の有高は、計数結果Ａとして運用でき、精査がおこなわれる。
【００３８】
ＮＧ回答の場合は、精査結果ＮＧとなり、上位システム２には、アラーム表示５ｉを行い現金処理機１は現金回収を行い、従来通りの現物合わせによる現金精査５ｑを実施し問題解決を行う。
【００３９】
これにより、現金精査時、紙幣処理機１内紙幣を全回収して精査を行い、出納に紙幣を戻しいれていたが、リジェクト紙幣数枚戻しいれとなり精査業務の軽減となる。
【００４０】
【発明の効果】
本発明により、紙幣処理機１内現金計数において、計数不能なリジェクトボックス内の金額のみ係員が確認し、上位システムに入力することで、上位システムが精査用のデータを元に有高確認を自動的チェック、精査を行ってくれる。
【００４１】
精査ＯＫの場合は、起動的に紙幣処理機１内の有高を現金計数結果値に書換えて現物＝有高として運用開始できる。（翌日）
【００４２】
精査ＮＧの場合は、何らかの問題があるため、問題解決のため、従来通り全回収して問題解決を図ることとなる。
【００４３】
したがって、係員は計数不能なリジェクトボックスの小額金額のみの取り扱いとなり精査業務、マネーストレスの低減、および厳格精査を行うことができる。
【図面の簡単な説明】
【図１】紙幣処理装置及び上位システムを示す。
【図２】精査手順を示す。
【符号の説明】
１…紙幣処理装置、２…上位システム、３…万円スタッカ部、４…装填回収カセット、５…精査手順、６…入金口部、７…出金口部、８…一時保留部、９…千円スタッカ部、１０…五千円スタッカ部、１１…リジェクトボックス部、１２…カセット部、１３…紙幣搬送路、１４…鑑別部。
【図１】
2004062705.tif 000003
【図２】
2004062705.tif 000004